(57)【要約】      （修正有）【課題】駅構内や百貨店内、高速道路のサービスエリアや道の駅などの公衆トイレの小便器から飛散する尿によってトイレ床面が汚れないようにした男性用公衆トイレの尿汚れ抑制具を提供する。【解決手段】小便器前方の使用者の両足が置かれる箇所を含む床面領域を覆って載置され、床面に対して滑り止めされるシート状の台座と、該台座上に交換可能に載置され、小便器から飛散した尿を受けて下方に透過させる表側シートと尿が下方に透過しない裏側シートとの間に尿を吸収する吸収部材を介在して構成され、小便器から飛散した尿を吸収して保持する尿吸収シートと、を備える。【選択図】図１
0003169511.tif 000002
【実用新案登録請求の範囲】
【請求項１】
使用者が立ち姿勢で床置型又は壁掛け型の小便器に排尿するときに小便器から飛散する尿によって床面が汚れないようにした男性用公衆トイレの尿汚れ抑制具であって、
小便器（２０、３０）前方の使用者の両足が置かれる箇所を含む床面領域を覆って載置され、床面（２１）に対して滑り止めされるシート状の台座（１４）と、
該台座（１４）上に交換可能に載置され、小便器（２０、３０）から飛散した尿を受けて下方に透過させる表側シート（１１）と尿が下方に透過しない裏側シート（１２）との間に尿を吸収する吸収部材（１３）を介在して構成され、小便器（２０、３０）から飛散した尿を吸収して保持する尿吸収シート（１５）と、
を備えたことを特徴とする男性用公衆トイレの尿汚れ抑制具。
【請求項２】
上記尿吸収シート（１５）は、上記台座（１４）に設けられたシート押え部（１４Ａ）によって押さえられて上記台座（１４）上に保持されるか、又は両面粘着テープによって上記台座（１４）に粘着されて保持されるようになっている請求項１記載の男性用公衆トイレの尿汚れ抑制具。
【請求項３】
上記台座（１４）はゴム材料を用いて形成され、床面（２１）に密着されることによって滑り止めされるようになっている請求項１記載の男性用公衆トイレの尿汚れ抑制具。
【考案の詳細な説明】
【技術分野】
【０００１】
この考案は、男性用公衆トイレの尿汚れ抑制具に関し、特に小便器から飛散する尿によって床面が汚れて使用者に不潔感を与えることがなく、トイレの清掃回数を少なくできるようにした抑制具に関する。
【背景技術】
【０００２】
例えば、駅構内や百貨店内の男性用公衆トイレ、高速道路のサービスエリアや道の駅などの男性用公衆トイレには床置型又は壁掛け型の小便器が採用されることが多い。かかるタイプの小便器では尿が跳ね返って飛散し、小便器前方の床面タイルを汚しやすい。小便器前方が尿に汚れると、後の使用者は他人の尿による靴やズボン裾の汚れを嫌がり、小便器から離れた位置に立って排尿をする傾向があり、小便器から跳ね返る尿の量が多くなって更に床面タイルを汚してしまう。特に、高齢者は尿のきれが悪く、排尿の終わり間際にボタボタ漏れが酷い。
【０００３】
そのため、トイレ床面に水を流して頻繁に清掃することが行われているが、トイレ床面が水で濡れていると、今度は靴やズボン裾の水濡れが気になり、駅構内や百貨店内の男性用公衆トイレ、高速道路のサービスエリアや道の駅などの男性用公衆トイレは不潔に感じて心理的に使用し難い。また、寒冷地ではトイレ床面が凍結して危険である。
【０００４】
他方、住宅などの温水洗浄型トイレ、いわゆる洋式トイレについては便座を囲む形状の吸水性シートをトイレフロアに敷き、吸水性シート裏面の接着部でフロアに固定し、便座から下方に漏れた尿を吸水性シートで吸収し、シートが汚れたときにはトイレに流すようにしたトイレ用シートが提案されている（特許文献１）。
【先行技術文献】
【特許文献】
【０００５】
【特許文献１】特開２００８−２２９３０１号公報
【考案の開示】
【考案が解決しようとする課題】
【０００６】
しかし、特許文献１記載のトイレ用シートでは水濡れしていることの多い駅構内や百貨店内の男性用トイレ、高速道路のサービスエリアや道の駅などの男性用公衆トイレに用いることができない。
【０００７】
本考案はかかる問題点に鑑み、駅構内や百貨店内、高速道路のサービスエリアや道の駅などの男性用公衆トイレにおける小便器から飛散する尿によってトイレ床面が汚れないようにした男性用公衆トイレの尿汚れ抑制具を提供することを課題とする。
【課題を解決するための手段】
【０００８】
そこで、本考案に係る男性用トイレの尿汚れ抑制具は、使用者が立ち姿勢で床置型又は壁掛け型の小便器に排尿するときに小便器から飛散する尿によって床面が汚れないようにした男性用トイレの清浄保持具であって、小便器前方の使用者の両足が置かれる箇所を含む床面領域を覆って載置され、床面に対して滑り止めされるシート状の台座と、該台座上に交換可能に載置され、小便器から飛散した尿を受けて下方に透過させる表側シートと尿が下方に透過しない裏側シートとの間に尿を吸収する吸収部材を介在して構成され、小便器から飛散した尿を吸収して保持する尿吸収シートと、を備えたことを特徴とする。
【０００９】
本考案の特徴の１つは滑り止め性能のあるシート製の台座をトイレ床面に設置し、台座上に尿吸水シートを交換可能に載置するようにした点にある。
【００１０】
これにより、駅構内や百貨店内の男性用トイレ、高速道路のサービスエリアや道の駅などの男性用公衆トイレなど、トイレ床面が水によって濡れている場合にも確実に設置でき、小便器前方におけるトイレ床面の尿汚れを少なくできる。
【００１１】
また、小便器前方のトイレ床面の尿汚れを少なくできる結果、使用者は小便器に近づいて排尿しても、他人の尿による靴やズボン裾の汚れを不安に感じることがなく、安心して排尿でき、又使用者が小便器に近づいて排尿するので、小便器からの尿の飛散量が少なくなり、トイレ床面の尿汚れを少なくできる。
【００１２】
さらに、トイレ床面の尿汚れを少なくできる結果、トイレ床面に水を流して清掃する回数が少なくなり、トイレ床面を乾いた状態に維持でき、使用者の靴やズボン裾の水濡れの不安感を解消できるとともに、清掃する者の負担を大幅に少なくできる。
【００１３】
台座はトイレ床面に対する滑り止め性能を有するシートであればよく、例えばゴム製シートや軟質プラスチック製シートなどを採用することができる。台座の厚みは特に限定されないが、トイレ床面のタイルに密着して簡単に滑らない程度の重さが得られる厚み、例えば１ｃｍ〜２ｃｍ程度とするのが好ましい。また、台座前部の段差を解消するために、幅５ｃｍ〜７ｃｍ程度のエプロンを設けるのがよい。
【００１４】
尿吸収シートの表側シートは小便器から飛散した尿を受けて下方に透過させるものであることが必要である。例えば、薄葉紙や不織布、薄葉紙と不織布を積層したもの、不織布の上に複数の透孔を有する合成樹脂製フィルムを積層したものを用いることができる。不織布の材料にはセルロース系繊維や親水処理された合成樹脂繊維を用いることができる。表側シートの厚みは特に限定されないが、使用者が靴で踏んでも破れない程度の厚みがあればよく、例えば０．５ｍｍ〜１．５ｍｍ程度の厚みとすることができる。
【００１５】
尿吸収シートの裏側シートは下方への尿漏れを起こさせないために不透水性であることが必要である。例えば、ポリエステル、ポリエチレン、ポリプロピレン、ＰＥＴなどの合成樹脂シート、撥水性の不織布を用いることができる。裏側シートの厚みは下方への尿漏れを防止できればよく、０．１ｍｍ〜１．０ｍｍ程度の厚みとすることができる。
【００１６】
尿吸収シートの吸収部材には尿戻りを避けるために吸水性ポリマーを採用するのがよい。例えば、吸水性ポリマーには澱粉系ポリマー、セルロース系ポリマー、合成ポリマー（ポリアクリル酸ナトリウムなど）を用いることができる。また、吸収性ポリマーに、繊維状の吸収材を混合して用いることもできる。
【図面の簡単な説明】
【００１７】
【図１】本考案に係る男性用公衆トイレの尿汚れ抑制具の好ましい実施形態を示す概略斜視図である。
【図２】上記実施形態を示す断面構成図である。
【図３】第２の実施形態を示す概略斜視図である。
【考案を実施するための形態】
【００１８】
以下、本考案を図面に示す具体例に基づいて詳細に説明する。図１及び図２は本考案の係る男性用公衆トイレの尿汚れ抑制具の好ましい実施形態を示す。図において、男性用公衆トイレの床面２１には床置型の小便器２０が壁面２２に沿って立てかけた状態で載置され、取付けねじなどによって固定されている。
【００１９】
小便器２０の尿受け２０Ａの前方床面２１には、使用者の両足が置かれる箇所を含む床面領域を覆う大きさでかつ前縁部分をＵ字状に切り欠いた形状の本例の尿汚れ抑制具１０が載置され、尿汚れ抑制具１０はシート状の台座１４に吸収シート１５を載置して構成されている。
【００２０】
吸収シート１５は表側シート１１と裏側シート１２との間に吸収部材１３を介在させ、周囲を接着や熱圧着によって固着されるとともに、適当な間隔で縦横に縫合して構成されている。
【００２１】
表側シート１１には小便器２０から飛散した尿を受けて下方に透過させる材料、例えば１ｍｍ程度の厚みの不織布が用いられ、裏側シート１２には尿が下方に透過しない材料、例えば１ｍｍ程度の厚みのポリエチレンシートが用いられている。吸収部材１３には吸水性ポリマーと繊維状の吸収材の混合物が用いられ、表側シート１１を透過してきた尿を吸収し保持するようになっている。
【００２２】
他方、台座１４は軟質のゴム製シートを用いて構成され、その材質の特性によってトイレ床面２１のタイルに密着することによって滑り止めされ、又周縁には盛り上がり部が形成されて吸収シート１５をずれないようにしている一方、前部には段差を解消する幅５ｃｍ〜７ｃｍ程度のエプロン１６が設けられ、又四隅にはシート押え部１４Ａが形成されて吸収シート１５を押さえて保持するようになっている。
【００２３】
使用者が小便器２０の前方に立って勢いよく排尿すると、尿が小便器２０で跳ね返って飛散することがある。かかる場合、飛散した尿は小便器２０前方の尿汚れ抑制具１０の吸収シート１５の表側シート１５の上に落下し、表側シート１１を透過して内部に吸収部材１３に達して吸収され、表側シート１１の表面に尿が戻ってくることはない。
【００２４】
次の使用者が小便器２０の前方に立つと、吸収シート１５が少し湿っている程度で、小便器２０回りの尿汚れがほとんど気にならないので、次の使用者は他人の尿による靴やズボン裾の汚れを気にすることなく小便器２０に近づいて排尿することができる。
【００２５】
その結果、小便器２０から跳ね返る尿の量が多くなることはなく、小便器２０回りを清潔に保つことができ、トイレ床面２１に水を流して行う清掃の回数を少なくでき、トイレ床面を乾燥した状態に保つことができる。
【００２６】
吸収シート１５が汚れてくると、吸収シート１５を台座１４から外し、新しい吸収シート１５を台座１４上にセットし、シート押え部１４Ａで押さえて保持するばよい。
【００２７】
図３は第２の実施形態を示し、図１及び図２と同一符号は同一又は相当部分を示す。本例の尿汚れ抑制具１０は壁掛け型の小便器３０の前下方のトイレ床面２１上に設置されている。
【符号の説明】
【００２８】
１０    尿汚れ抑制具
１１    表側シート
１２    裏側シート
１３    吸収部材
１４    台座
１５    吸収部材
２０、３０  小便器
【図１】
0003169511.tif 000003
【図２】
0003169511.tif 000004
【図３】
0003169511.tif 000005